(57)【要約】【課題】放送データに係る画像等を第１の装置から第２の装置に転送する場合に、転送に係るネットワーク帯域の負荷を軽減できるようにする。【解決手段】複数のエレメンタリストリームを含む放送トランスポートストリームを再生中に、再生モードの変更が要求された場合には、その変更に関連するエレメンタリストリームを放送トランスポートストリームから選択し、選択したエレメンタリストリームを用いて他の装置に転送するストリームを生成し、変更後の再生モードに係る設定情報とともに転送するようにして、転送に係るネットワーク帯域の負荷を軽減することができるようにする。【選択図】図１
2010041220.tif 000002
【特許請求の範囲】
【請求項１】
複数の要素データを含む第１のデータストリームを第１の再生モードで再生中に、前記第１の再生モードから第２の再生モードへの変更が要求された場合に、当該変更に関連する要素データを前記第１のデータストリームに含まれる要素データから選択する選択手段と、
前記選択手段により選択された要素データを用いて第２のデータストリームを生成する生成手段と、
前記生成手段により生成された前記第２のデータストリームを前記第２の再生モードに係る設定情報とともに他の装置に転送する転送手段とを備えることを特徴とするデータ処理装置。
【請求項２】
前記選択手段は、前記第１の再生モードから前記第２の再生モードへの変更に関連する要素データと再生されるコンテンツが同じであると判断される要素データを第３のデータストリームから検出する検出手段を有し、
前記選択手段は、前記変更に関連する要素データ及び前記検出手段により検出した要素データのうち、転送レートが最小の要素データを選択することを特徴とする請求項１記載のデータ処理装置。
【請求項３】
前記選択手段は、前記第１の再生モードから前記第２の再生モードへの変更が映像に係る場合には、複数の要素データの中から当該変更に関連する映像に係る要素データだけを選択することを特徴とする請求項１又は２記載のデータ処理装置。
【請求項４】
前記第１のデータストリームは、映像に係る要素データ及び音声に係る要素データを含むことを特徴とする請求項１〜３の何れか１項に記載のデータ処理装置。
【請求項５】
前記データストリームはトランスポートストリームであり、前記要素データはエレメンタリストリームであることを特徴とする請求項１〜４の何れか１項に記載のデータ処理装置。
【請求項６】
請求項１〜５の何れか１項に記載のデータ処理装置である第１のデータ処理装置と通信可能に接続される第２のデータ処理装置であって、
前記第１のデータ処理装置から送信されたデータストリーム及び再生モードに係る設定情報を受信する受信手段と、
前記受信手段が受信したデータストリームを受信した再生モードに係る設定情報に従って再生する再生手段と、
前記再生手段による再生出力に対するユーザからの要求に応じて変更した再生モードに係る設定情報を前記第１のデータ処理装置に送信する送信手段とを備えることを特徴とするデータ処理装置。
【請求項７】
複数の要素データを含む第１のデータストリームを第１の再生モードで再生中に、前記第１の再生モードから第２の再生モードへの変更が要求された場合に、当該変更に関連する要素データを前記第１のデータストリームに含まれる要素データから選択する選択工程と、
前記選択工程にて選択された要素データを用いて第２のデータストリームを生成する生成工程と、
前記生成工程にて生成された前記第２のデータストリームを前記第２の再生モードに係る設定情報とともに他の装置に転送する転送工程とを有することを特徴とするデータ処理方法。
【請求項８】
複数の要素データを含む第１のデータストリームを第１の再生モードで再生中に、前記第１の再生モードから第２の再生モードへの変更が要求された場合に、当該変更に関連する要素データを前記第１のデータストリームに含まれる要素データから選択する選択ステップと、
前記選択ステップにて選択された要素データを用いて第２のデータストリームを生成する生成ステップと、
前記生成ステップにて生成された前記第２のデータストリームを前記第２の再生モードに係る設定情報とともに他の装置に転送する転送ステップとをコンピュータに実行させるためのプログラム。
【発明の詳細な説明】
【技術分野】
【０００１】
本発明は、データ処理装置、データ処理方法、及びプログラムに関し、特に装置間でのデータ転送に係るストリーム制御技術に関する。
【背景技術】
【０００２】
放送や通信の発達に伴い、動画像、静止画、音声情報、文字情報等の多くの情報が家庭に送信されてくるようになった。これに伴って、それらの情報を受信する受信機側も開発が進み、例えばテレビジョン受像機のような機器で画像だけではなく文字情報も表示できたり、パーソナルコンピュータのような端末でテレビ放送の動画等も表示できたりするようになってきた。
【０００３】
一方、ネットワーク上に存在する番組表を取得し、取得したＴＶ番組表をカスタマイズ可能とするとともに、番組選択を行うための自動チャネル切替えやＴＶ番組表の印刷を可能とし、ユーザの手元でこれらの操作を可能とする技術がある（例えば、特許文献１）。また、ユーザの居る場所から比較的離れた位置に据え置かれて使用され、外部の通信ネットワークや記録装置等から取り込んだ情報に基づいて、画像又は文字等の関連情報についてはユーザの近傍又は手元で閲覧を可能とする技術がある（例えば、特許文献２）。
【０００４】
【特許文献１】特開２００１−２８５７４１号公報
【特許文献２】特開２００６−１０１５６１号公報
【発明の開示】
【発明が解決しようとする課題】
【０００５】
ここで、送られて来た放送データを放送受信装置等の第１の装置で受信し、受信した放送データを第１の装置から第２の装置に転送する技術があった。しかしながら、例えば放送データに係る画像を第１の装置から第２の装置に転送する場合、レンダリング後の画像を転送しているため、装置間で転送されるデータのサイズが大きく、ネットワーク帯域の負荷が大きいという問題があった。
【０００６】
また、再生表示された放送データが第１の装置でどのように見えるかを第２の装置側では確認できないため、画面設定等を変更する場合には、第１の装置側のディスプレイで確認しながら変更しなければならない。このように第２の装置では確認できず第１の装置で確認しながら変更する必要があったため、再生表示された放送を複数人で閲覧中に、アスペクト比等の画面設定変更を行う場合には他の人の視聴を妨げてしまうという問題があった。
【０００７】
本発明は、放送データに係る画像等を第１の装置から第２の装置に転送する場合に、転送に係るネットワーク帯域の負荷を軽減できるようにすることを目的とする。
【課題を解決するための手段】
【０００８】
本発明のデータ処理装置は、複数の要素データを含む第１のデータストリームを第１の再生モードで再生中に、前記第１の再生モードから第２の再生モードへの変更が要求された場合に、当該変更に関連する要素データを前記第１のデータストリームに含まれる要素データから選択する選択手段と、前記選択手段により選択された要素データを用いて第２のデータストリームを生成する生成手段と、前記生成手段により生成された前記第２のデータストリームを前記第２の再生モードに係る設定情報とともに他の装置に転送する転送手段とを備えることを特徴とする。
本発明のデータ処理方法は、複数の要素データを含む第１のデータストリームを第１の再生モードで再生中に、前記第１の再生モードから第２の再生モードへの変更が要求された場合に、当該変更に関連する要素データを前記第１のデータストリームに含まれる要素データから選択する選択工程と、前記選択工程にて選択された要素データを用いて第２のデータストリームを生成する生成工程と、前記生成工程にて生成された前記第２のデータストリームを前記第２の再生モードに係る設定情報とともに他の装置に転送する転送工程とを有することを特徴とする。
本発明のプログラムは、複数の要素データを含む第１のデータストリームを第１の再生モードで再生中に、前記第１の再生モードから第２の再生モードへの変更が要求された場合に、当該変更に関連する要素データを前記第１のデータストリームに含まれる要素データから選択する選択ステップと、前記選択ステップにて選択された要素データを用いて第２のデータストリームを生成する生成ステップと、前記生成ステップにて生成された前記第２のデータストリームを前記第２の再生モードに係る設定情報とともに他の装置に転送する転送ステップとをコンピュータに実行させることを特徴とする。
【発明の効果】
【０００９】
本発明によれば、再生モードの変更時に、変更に関連する要素データだけを選択してデータストリームを生成し転送することにより、転送に係るネットワーク帯域の負荷を軽減することができる。
【発明を実施するための最良の形態】
【００１０】
以下、本発明の実施形態を図面に基づいて説明する。
【００１１】
（第１の実施形態）
本発明の第１の実施形態について説明する。
図１は、本発明の一実施形態に係るデータ処理装置を適用した放送受信装置及び情報処理装置の構成例を示すブロック図である。
【００１２】
図１において、第１のデータ処理装置としての放送受信装置１０は、例えば、テレビジョン受像機である。また、第２のデータ処理装置としての情報処理装置１１は、例えば、パーソナルコンピュータや携帯情報端末、リモコン等の端末である。図１に示すように、放送受信装置１０と情報処理装置１１とはネットワーク１２を介して通信可能に接続されている。ネットワーク１２は、有線又は無線の何れかのネットワークである。
【００１３】
放送受信装置１０は、チューナ１０１と、デマルチプレクサ（ＤＥＭＵＸ）１０２と、映像の再生に関連するビデオデコーダ１０３、ビデオ提示処理部１０４、及び第１のディスプレイ１０５と、ネットワークコントローラ１０６とを有する。また、放送受信装置１０は、音声の再生に関連するオーディオデコーダ１０７、オーディオ提示処理部１０８、及び第１のスピーカ１０９と、字幕表示に関連する字幕処理部１０１０及び合成処理部１０１１と、制御部１０１２とを有する。
【００１４】
チューナ１０１は、送られてくる複数のエレメンタリストリーム（ＥＳ：Elementary Stream）を含む放送トランスポートストリーム（ＴＳ：Transport Stream）を受信する。ここで、エレメンタリストリームは要素データであり、放送トランスポートストリームはデータストリームである。本実施形態では、放送トランスポートストリームは、映像に係る要素データ（映像エレメンタリストリーム：映像ＥＳ）及び音声に係る要素データ（音声エレメンタリストリーム：音声ＥＳ）を含む。
【００１５】
ＤＥＭＵＸ１０２は、チューナ１０１が受信した放送ＴＳを映像ＥＳ、音声ＥＳ、プライベートＥＳに分離しパケット化する。また、ＤＥＭＵＸ１０２は、再生モードの変更時に第１のデータストリームとしての放送ＴＳに含まれる複数のＥＳから当該変更に関連するＥＳを選択する選択手段として機能する。また、ＤＥＭＵＸ１０２は、選択した変更に関連するＥＳを用いて情報処理装置１１に転送する第２のデータストリームとしてのＴＳを生成する生成手段として機能する。ＤＥＭＵＸ１０２は、第２の実施形態では再生モードの変更に関連するＥＳと再生されるコンテンツが同じであると判断されるＥＳを第１のデータストリームとしての放送ＴＳとは異なる第３のデータストリームとしてのＴＳから検出する検出手段としても機能する。
【００１６】
ビデオデコーダ１０３は、ＤＥＭＵＸ１０２での処理によって得られた映像ＰＥＳ（Packetized Elementary Stream）をデコードする。ビデオ提示処理部１０４は、ビデオデコーダ１０３でのデコード結果に基づいてビデオ提示処理を行う。第１のディスプレイ１０５は、ビデオ提示処理部１０４の制御に従って映像を再生表示する。
【００１７】
オーディオデコーダ１０７は、ＤＥＭＵＸ１０２での処理によって得られた音声ＰＥＳをデコードする。オーディオ提示処理部１０８は、オーディオデコーダ１０７でのデコード結果に基づいてオーディオ提示処理を行い、第１のスピーカ１０９は、オーディオ提示処理部１０８の制御に従って音声を再生出力する。
【００１８】
字幕処理部１０１０は、第１のディスプレイ１０５で再生表示される映像について字幕データの設定がされていれば字幕処理を行う。合成処理部１０１１は、ビデオ提示処理部１０４での処理結果と字幕処理部１０８での処理結果とを合成し出力する。合成処理部１０１１の出力に基づく映像が、第１のディスプレイ１０５にて再生表示される。
【００１９】
転送手段としてのネットワークコントローラ１０６は、ネットワーク１２を介した放送受信装置１０と他の装置との通信を可能とするものである。制御部１０１２は、放送受信装置１０が有する各機能部を統括的に制御するものであり、例えば後述する再生処理やデータ転送処理を実行するために各機能部を適宜制御する。
【００２０】
情報処理装置１１は、ネットワークコントローラ１１１と、再生手段として映像の再生に関連するビデオデコーダ１１２、ビデオ提示処理部１１３、及び第２のディスプレイ１１４とを有する。また、情報処理装置１１は、音声の再生に関連するオーディオデコーダ１１５、オーディオ提示処理部１１６、及び第２のスピーカ１１７と、字幕表示に関連する字幕処理部１１８及び合成処理部１１９と、制御部１２０とを有する。
【００２１】
受信手段及び送信手段としてのネットワークコントローラ１１１は、ネットワーク１２を介した情報処理装置１１と他の装置との通信を可能とするものである。
【００２２】
ビデオデコーダ１１２は、放送受信装置１０からネットワーク１２を介して転送された映像ＰＥＳをデコードする。ビデオ提示処理部１１３は、ビデオデコーダ１１２でのデコード結果に基づいてビデオ提示処理を行い、第２のディスプレイ１１４は、ビデオ提示処理部１１３の制御に従って映像を再生表示する。
【００２３】
オーディオデコーダ１１５は、放送受信装置１０からネットワーク１２を介して転送された音声ＰＥＳをデコードする。オーディオ提示処理部１１６は、オーディオデコーダ１１５でのデコード結果に基づいてオーディオ提示処理を行い、第２のスピーカ１１７は、オーディオ提示処理部１１６の制御に従って音声を再生出力する。
【００２４】
字幕処理部１１８は、第２のディスプレイ１１４で再生表示される映像について字幕データの設定がされていれば字幕処理を行う。合成処理部１１９は、ビデオ提示処理部１１３での処理結果と字幕処理部１１８での処理結果とを合成し出力する。合成処理部１１９の出力に基づく映像が、第２のディスプレイ１１４にて再生表示される。
制御部１２０は、情報処理装置１１が有する各機能部を統括的に制御する。
【００２５】
図１に示したＤＥＭＵＸ１０２の処理について、図２を用いて説明する。図２は、ＤＥＭＵＸ１０２の処理を説明するための図である。
【００２６】
ＤＥＭＵＸ１０２は、チューナ１０１で受信した放送ＴＳを分離してパケット化し、得られたＰＥＳを映像ＰＥＳ２０１、音声ＰＥＳ２０２、及びプライベートＰＥＳ２０３としてメモリ２０に格納する。なお、このメモリ２０は、ＤＥＭＵＸ１０２内部に備えられていても良いし、ＤＥＭＵＸ１０２の外部に備えるようにしても良い。
【００２７】
メモリ２０に格納された各ＰＥＳは、ビデオデコーダ１０３及びオーディオデコーダ１０７によって読み取られて処理される。具体的には、ビデオデコーダ１０３は映像ＰＥＳ２０１を読み取り処理をし、オーディオデコーダ１０７は音声ＰＥＳ２０２を読み取り処理をする。また、例えばメモリ２０に格納されているＰＥＳを情報処理装置１１へ転送する場合には、ネットワークコントローラ１０６を通じて情報処理装置１１へ転送する。
【００２８】
図３は、放送受信装置１０における映像及び音声の再生処理手順を示す図である。
チューナ１０１が、複数のエレメンタリストリーム（ＥＳ）（要素データ）を含む放送トランスポートストリーム（ＴＳ）（第１のデータストリーム）を受信する（３０１）。チューナ１０１が受信した放送ＴＳをＤＥＭＵＸ１０２が映像ＥＳ、音声ＥＳ、及びプライベートＥＳに分離する（３０２）。
【００２９】
ステップ３０２での処理により得られた映像ＰＥＳ２０１は、ビデオデコーダ１０３によりデコードされる（３０３）。そして、デコード結果を基に再生したい情報の特徴に応じたビデオ提示処理がビデオ提示処理部１０４で行われ（３０４）、第１のディスプレイ１０５により映像が再生表示される（３０５）。このとき、字幕データの設定がされていれば、字幕処理部１０１０が、再生したい情報の特徴に応じて字幕処理を行い、第１のディスプレイ１０５に合成して再生する。
【００３０】
また、ステップ３０２での処理により得られた音声ＰＥＳ２０２は、オーディオデコーダ１０７によりデコードされる（３０３）。そして、デコード結果を基に再生したい情報の特徴に応じた音声提示処理がオーディオ提示処理部１０８で行われ（３０４）、第１のスピーカ１０９により音声が再生出力される（３０５）。
【００３１】
図４は、第１の実施形態における放送受信装置１０のデータ転送処理手順の一例を示す図である。図４には、受信したストリームの再生モードに変更がある場合に、当該変更の対象となるストリームだけを選択して情報処理装置１１へ転送する処理手順を示している。
【００３２】
放送受信装置１０のチューナ１０１が複数のＥＳ（要素データ）を含む放送ＴＳ（第１のデータストリーム）を受信し（４０１）、受信した放送ＴＳをＤＥＭＵＸ１０２が映像ＥＳ、音声ＥＳ、及びプライベートＥＳに分離する（４０２）。そして、ステップ４０２での処理により得られた映像ＥＳや音声ＥＳをある再生モード（第１の再生モード）で再生出力する。
【００３３】
次に、第１の再生モードでの再生中に、第２の再生モードへの変更の要求があるか否かを判別する（４０３）。すなわち、再生画像のアスペクト比や色情報等の画面設定変更や出力音質や音量の変更、さらに字幕の種類や表示位置設定などの放送受信装置１０で再生するストリームの再生モードに変更があったか否かを判別する。
【００３４】
その結果、再生モードの変更が要求された場合には（Ｙ）、ＤＥＭＵＸ１０２は、受信された放送ＴＳに含まれる複数のＥＳの中から、設定に応じたストリーム（変更に関連するストリーム）を選択する（４０４）。さらに、ＤＥＭＵＸ１０２は、選択したストリームを用いて情報処理装置１１に転送するＴＳ（第２のデータストリーム）を生成する。生成されたＴＳストリームは、ネットワークコントローラ１０６によりネットワーク１２を介して情報処理装置１１へ転送される（４０５）。
一方、ステップ４０３において、再生モードに変更がない場合には（Ｎ）、処理を終了する。
【００３５】
図５は、第１の実施形態におけるデータ転送処理手順の具体例を示す図である。図５には、例えばアスペクト比や色情報の変更等の第１のディスプレイ１０５に映像を表示するモードに変更がある場合、すなわち第１の再生モードから第２の再生モードへの変更が映像に係る場合の処理手順を示している。この場合には、放送受信装置１０が受信する放送ＴＳに複数のＥＳの中から、変更に関連する映像データに係るストリームのみが選択され、情報処理装置１１へ転送される。
【００３６】
放送受信装置１０のチューナ１０１が複数のＥＳを含む放送ＴＳを受信し（５０１）、受信した放送ＴＳをＤＥＭＵＸ１０２が映像ＥＳ、音声ＥＳ、及びプライベートＥＳに分離する（５０２）。そして、得られた映像ＥＳや音声ＥＳを第１の再生モードで第１のディスプレイ１０５や第１のスピーカ１０９により再生出力する。
【００３７】
このとき、映像に関するモードの変更が要求された場合には（５０３のＹ）、ＤＥＭＵＸ１０２がモードの変更に応じて当該変更に関連する映像ＰＥＳ２０１を選択する（５０４）。さらに、ＤＥＭＵＸ１０２が、選択したストリームを用いて情報処理装置１１に転送するＴＳを生成し、生成したＴＳストリームをネットワークコントローラ１０６によりネットワーク１２を介して情報処理装置１１に転送する（５０５）。
【００３８】
放送受信装置１０から転送された映像ＰＥＳ２０１を受け取った情報処理装置１１のビデオデコーダ１１２が、受け取った映像ＰＥＳ２０１をデコードし、ビデオ提示処理部１１３が再生したい情報の特徴に応じたビデオ提示処理を行う。そして、受け取った映像ＰＥＳに応じた映像が第２のディスプレイ１１４により再生表示される（５０６）。
なお、ステップ５０３において、映像に関するモードの変更がない場合には（Ｎ）、処理を終了する。
【００３９】
第１の実施形態によれば、放送受信装置１０は、第１の再生モードでの再生中に、第２の再生モードへの変更が要求された場合には、受信した放送ＴＳから、設定に応じたストリーム（変更に関連するストリーム）を選択して、情報処理装置１１に転送する。これにより、従来と比較して放送受信装置１０から情報処理装置１１へ転送するデータが削減され、転送に係るネットワーク帯域の負荷を軽減することができる。
【００４０】
（第２の実施形態）
次に、本発明の第２の実施形態について説明する。
第２の実施形態における放送受信装置及び情報処理装置の構成は、図１に示した第１の実施形態と同様であるので、その説明は省略する。また、第２の実施形態における放送受信装置１０の映像及び音声に係る再生処理は、第１の実施形態と同様であるので説明は省略する。
【００４１】
第２の実施形態は、放送受信装置１０のチューナ１０１が受信する放送ＴＳにおいて、ＨＤ（High Definition）のストリームとＳＤ（Standard Definition）のストリームが同時に受信される場合に好適なものである。受信したＨＤのストリーム及びＳＤのストリームによって再生されるコンテンツが同じ内容の番組であると判断された場合には、ＳＤのストリームのみを情報処理装置１１へ転送することにより、ネットワーク帯域の負荷を軽減する。
【００４２】
図６は、第２の実施形態におけるデータ転送処理手順の一例を示す図である。図６には、再生モードの変更に応じて映像ＥＳを情報処理装置１１へ転送する際、ＨＤのストリーム及びＳＤのストリームがあり、かつそのコンテンツが同じ内容であると判断された場合に、ＳＤのストリームのみを転送する処理手順を示している。
【００４３】
放送受信装置１０のチューナ１０１が複数のＥＳ（要素データ）を含む放送ＴＳ（第１のデータストリーム）を受信し（６０１）、受信した放送ＴＳをＤＥＭＵＸ１０２が映像ＥＳ、音声ＥＳ、及びプライベートＥＳに分離しパケット化する（６０２）。そして、得られた映像ＥＳや音声ＥＳを第１の再生モードで第１のディスプレイ１０５や第１のスピーカ１０９により再生出力する。
【００４４】
このとき、ＤＥＭＵＸ１０２は、映像に関するモードの変更が要求されたか否か、さらには変更が要求された場合には同じコンテンツのＨＤに係るストリームとＳＤに係るストリームがあるか否かを識別する（６０３）。
【００４５】
ここで、ＨＤに係るストリームとＳＤに係るストリームが存在し、そのコンテンツが同じであるかどうかの識別方法は、ＥＩＴ（Event Information Table）によって識別することが可能である。ＥＩＴには、番組名、放送日時、番組内容やＨＤ・ＳＤ等の映像コンポーネントの種類等が記述されている。
【００４６】
そこで、例えば、第１のデータストリームとしての放送ＴＳ及び第３のデータストリームとしての放送ＴＳとして、番組のコンテンツが同じで同時間にＨＤのストリームとＳＤのストリームを受信するケースを記録しておく。そして、その番組の受信時には（Ｙ）、ＤＥＭＵＸ１０２がＳＤに係る映像ＰＥＳのみを選択し、情報処理装置１１に転送するＴＳを生成する。そして、生成したＴＳをネットワークコントローラ１０６によりネットワーク１２を介して情報処理装置１１へ転送する（６０４）。
【００４７】
放送受信装置１０から転送されたＳＤに係る映像ＰＥＳ２０１を受け取った情報処理装置１１のビデオデコーダ１１２が受け取った映像ＰＥＳ２０１をデコードし、ビデオ提示処理部１１３が再生したい情報の特徴に応じたビデオ提示処理を行う。そして、受け取ったＳＤに係る映像ＰＥＳに応じた映像が第２のディスプレイ１１４により再生表示される（６０５）。
【００４８】
なお、ステップ６０３において、同じコンテンツのＨＤに係るストリームとＳＤに係るストリームがないと識別された場合には、例えばＤＥＭＵＸ１０２は、ステップ６０２での処理により得られている映像ＰＥＳを転送すれば良い。
【００４９】
第２の実施形態によれば、情報処理装置１１へ転送するストリームが映像に関するものであり、かつＨＤのストリーム及びＳＤのストリームがある場合に、ＳＤのストリームのみを転送するので、さらにネットワーク帯域の負荷を軽減することができる。なお、本実施形態では、ＨＤのストリーム及びＳＤのストリームがある場合を一例として説明したが、ＨＤ及びＳＤのストリームに限らず、再生されるコンテンツが同じであると判断されるストリームが複数ある場合に適用可能である。再生されるコンテンツが同じであると判断されるストリームが複数ある場合には、その中から転送レートが最小のストリームを選択して情報処理装置１１に転送することにより、ネットワーク帯域の負荷の軽減を図ることができる。
【００５０】
（第３の実施形態）
次に、本発明の第３の実施形態について説明する。
第３の実施形態における放送受信装置及び情報処理装置の構成は、図１に示した第１の実施形態と同様であるので、その説明は省略する。以下では、第１の実施形態及び第２の実施形態と相違する点について説明する。
【００５１】
第３の実施形態では、第１のデータ処理装置としての放送受信装置１０側での再生に関する（再生モードに係る）設定情報を再生するストリームとともに第２のデータ処理装置としての情報処理装置１１に転送し、それに基づいて情報処理装置１１にて再生する。これにより、放送受信装置１０が再生する設定情報に基づく再生内容を情報処理装置１１で確認できるようにする。
【００５２】
図７は、第３の実施形態における放送受信装置１０のデータ転送処理手順の一例を示す図である。図７には、放送受信装置１０の再生に関する設定情報を情報処理装置１１に転送する処理手順を示している。
【００５３】
放送受信装置１０は、複数のＥＳを含む放送ＴＳを受信し、受信した放送ＴＳを映像ＥＳ、音声ＥＳ、及びプライベートＥＳに分離して、映像及び音声に係る再生処理を実行し放送ＴＳに係るコンテンツを再生中であるものとする。放送受信装置１０において、再生する再生画像のアスペクト比や色情報等の画面設定変更や出力音質や音量の変更、さらに字幕の種類や表示位置設定などの放送受信装置１０で再生するストリームの再生モードに変更があったか否かを判別する（７０１）。
【００５４】
その結果、再生モードに変更がない場合には（Ｎ）、放送受信装置１０は再生処理を継続する。一方、再生モードに変更があった場合には（Ｙ）、放送受信装置１０は再生処理を継続しながら、設定に応じたストリーム（変更対象に係るストリーム）を選択する（７０３）。そして、放送受信装置１０は、選択したストリームとともに、放送受信装置１０の再生に関する設定情報を、ネットワーク１２を介して情報処理装置１１へ転送する（７０４）。
【００５５】
図８は、第３の実施形態におけるデータ転送処理手順の具体例を示す図である。図８には、次のような処理手順を示している。例えばアスペクト比や色情報の変更等の第１のディスプレイ１０５に映像を表示するモードに変更がある場合に、映像データに係るストリームとともに放送受信装置１０での再生に関する設定情報を情報処理装置１１へ転送する。そして、転送された再生に関する設定情報に基づいて情報処理装置１１が有する第２のディスプレイ１１４で再生表示し、ユーザはその再生画像を確認しながら情報処理装置１１側で設定を変更し、変更が確定するとその設定情報を放送受信装置１０へ反映させる。
【００５６】
放送受信装置１０は、複数のＥＳを含む放送ＴＳを受信し、受信した放送ＴＳを映像ＥＳ、音声ＥＳ、及びプライベートＥＳに分離して、映像及び音声に係る再生処理を実行し、放送ＴＳに係るコンテンツを再生中であるものとする。放送受信装置１０でのストリームの再生中に、アスペクト比や色情報等の映像再生に係る再生モードに変更があるか否かを判別する（８０１）。
【００５７】
その結果、再生モードに変更がない場合には（Ｎ）、放送受信装置１０は再生を継続する。一方、再生モードに変更があった場合には（Ｙ）、放送受信装置１０は再生を継続しながら、ネットワーク１２を介して映像ＰＥＳを情報処理装置１１へ転送するとともに、放送受信装置１０での再生に関する設定情報を情報処理装置１１へ転送する（８０２）。ここでは、放送受信装置１０での再生に関する設定情報として、第１のディスプレイ１０５で再生する画面設定及びディスプレイサイズを転送するものとする。
【００５８】
次に、情報処理装置１１は、第２のディスプレイ１１４において、放送受信装置１０から受け取ったディスプレイサイズ、すなわち第１のディスプレイ１０５のディスプレイサイズと同じ比率（アスペクト比）の描画スペースを作成する（８０３）。これは第２のディスプレイ１１４内に収まれば、第１のディスプレイ１０５のサイズを上回っても、下回っても、同じでも良い。
【００５９】
情報処理装置１１は、放送受信装置１０から受け取った再生に関する設定情報に基づく画面設定で、ビデオ提示処理部１１３が映像ＰＥＳに係るビデオ提示処理を行い第２のディスプレイ１１４で映像を再生表示する（８０４）。ユーザは、第２のディスプレイ１１４での再生画像を確認しながら情報処理装置１１側で画面設定を変更する。そして、ユーザによる情報処理装置１１側での画面設定の変更が確定すると、情報処理装置１１は、その画面設定に係る情報を含む変更後の再生に係る設定情報を放送受信装置１０へネットワーク１２を介して転送する（８０５）。
【００６０】
放送受信装置１０は、情報処理装置１１より転送された設定情報に基づいてビデオ提示処理部１０４が映像ＰＥＳに係るビデオ提示処理を行い、第１のディスプレイ１０５で映像を再生表示する（８０６）。
【００６１】
第３の実施形態によれば、ディスプレイ１０５、１１４の各々で表示される内容の画面設定が同じになるため、第１のディスプレイ１０５の画面設定変更時に第２のディスプレイ１１４で再生する画像を確認することが可能となる。これにより、複数人で第１のディスプレイ１０５を視聴中に画面設定の変更を行う場合に、他の視聴者の視聴を妨げることなく、第２のディスプレイ１１４で表示を確認し、第１のディスプレイ１０５に対して画面設定の変更を反映することができる。
【００６２】
（本発明の他の実施形態）
上述した実施形態の機能を実現するべく各種のデバイスを動作させるように、該各種デバイスと接続された装置又はシステム内のコンピュータ（ＣＰＵ又はＭＰＵ）に対し、前記実施形態の機能を実現するためのソフトウェアのプログラムを供給する。そして、そのシステム又は装置のコンピュータに格納されたプログラムに従って前記各種デバイスを動作させることによって実施したものも、本発明の範疇に含まれる。
また、この場合、前記ソフトウェアのプログラム自体が上述した実施形態の機能を実現することになり、そのプログラム自体は本発明を構成する。また、そのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、供給されたプログラムがコンピュータにて稼働しているオペレーティングシステム又は他のアプリケーションソフト等と共同して上述の実施形態の機能が実現される場合にもかかるプログラムは本発明の実施形態に含まれることは言うまでもない。
さらに、供給されたプログラムがコンピュータに係る機能拡張ボードや機能拡張ユニットに備わるメモリに格納された後、そのプログラムの指示に基づいてその機能拡張ボード等に備わるＣＰＵ等が実際の処理の一部又は全部を行う。その処理によって上述した実施形態の機能が実現される場合にも本発明に含まれることは言うまでもない。
【００６３】
例えば、第１〜第３の各実施形態に示したデータ処理装置（放送受信装置１０や情報処理装置１１）は、図９に示すようなコンピュータ機能９００を有し、そのＣＰＵ９０１により第１〜第３の各実施形態での動作が実施される。
コンピュータ機能９００は、図９に示すように、ＣＰＵ９０１と、ＲＯＭ９０２と、ＲＡＭ９０３とを備える。また、操作部（ＣＯＮＳ）９０９のコントローラ（ＣＯＮＳＣ）９０５と、ＣＲＴやＬＣＤ等の表示部としてのディスプレイ（ＤＩＳＰ）９１０のディスプレイコントローラ（ＤＩＳＰＣ）９０６とを備える。さらに、ハードディスク（ＨＤ）９１１、及びフレキシブルディスク等の記憶デバイス（ＳＴＤ）９１２のコントローラ（ＤＣＯＮＴ）９０７と、ネットワークインタフェースカード（ＮＩＣ）９０８とを備える。それら機能部９０１、９０２、９０３、９０５、９０６、９０７、９０８は、システムバス９０４を介して互いに通信可能に接続された構成としている。
ＣＰＵ９０１は、ＲＯＭ９０２又はＨＤ９１１に記憶されたソフトウェア、又はＳＴＤ９１２より供給されるソフトウェアを実行することで、システムバス９０４に接続された各構成部を総括的に制御する。すなわち、ＣＰＵ９０１は、上述したような動作を行うための処理プログラムを、ＲＯＭ９０２、ＨＤ９１１、又はＳＴＤ９１２から読み出して実行することで、第１〜第３の各実施形態での動作を実現するための制御を行う。ＲＡＭ９０３は、ＣＰＵ９０１の主メモリ又はワークエリア等として機能する。
ＣＯＮＳＣ９０５は、ＣＯＮＳ９０９からの指示入力を制御する。ＤＩＳＰＣ９０６は、ＤＩＳＰ９１０の表示を制御する。ＤＣＯＮＴ９０７は、ブートプログラム、種々のアプリケーション、ユーザファイル、ネットワーク管理プログラム、及び第１〜第３の各実施形態における前記処理プログラム等を記憶するＨＤ９１１及びＳＴＤ９１２とのアクセスを制御する。ＮＩＣ９０８はネットワーク９１３上の他の装置と双方向にデータをやりとりする。
【００６４】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００６５】
【図１】本発明の一実施形態に係るデータ処理装置を適用した放送受信装置及び情報処理装置の構成例を示す図である。
【図２】図１に示したＤＥＭＵＸの処理を説明するための図である。
【図３】第１の実施形態における放送受信装置の映像及び音声の再生処理手順を示す図である。
【図４】第１の実施形態におけるデータ転送処理手順の一例を示す図である。
【図５】第１の実施形態におけるデータ転送処理手順の具体例を示す図である。
【図６】第２の実施形態におけるデータ転送処理手順の一例を示す図である。
【図７】第３の実施形態におけるデータ転送処理手順の一例を示す図である。
【図８】第３の実施形態におけるデータ転送処理手順の具体例を示す図である。
【図９】本実施例におけるデータ処理装置を実現可能なコンピュータ機能を示す図である。
【符号の説明】
【００６６】
１０  放送受信装置
１１  情報処理装置
１０１  チューナ
１０２  デマルチプレクサ
１０３、１１２  ビデオデコーダ
１０４、１１３  ビデオ提示処理部
１０５、１１４  ディスプレイ
１０６、１１１  ネットワークコントローラ
１０７、１１５  オーディオデコーダ
１０８、１１６  オーディオ提示処理部
１０９、１１７  スピーカ
１２０、１０１２  制御部
【図１】
2010041220.tif 000003
【図２】
2010041220.tif 000004
【図３】
2010041220.tif 000005
【図４】
2010041220.tif 000006
【図５】
2010041220.tif 000007
【図６】
2010041220.tif 000008
【図７】
2010041220.tif 000009
【図８】
2010041220.tif 000010
【図９】
2010041220.tif 000011